(57)【要約】  本発明のプラズマディスプレイパネルの駆動方法は、少なくとも１つのサブフィールドの初期化期間において画像表示を行う全ての放電セルに対して初期化放電を発生させる全セル初期化動作を行い、全セル初期化動作を行う初期化期間のあるサブフィールド以外のサブフィールドでは書込み放電を発生するサブフィールドと書込み放電を発生させないサブフィールドとを任意に組み合わせて放電セルで階調を表示するとともに、全セル初期化動作を行う初期化期間のあるサブフィールドに続くいずれかのサブフィールドの書込み期間で書込み放電を発生させる放電セルでは、全セル初期化動作を行う初期化期間のあるサブフィールドでも書込み放電を発生させる。
2008087805.tif 000002
【特許請求の範囲】
【請求項１】
走査電極と維持電極とからなる表示電極対とデータ電極とを有する放電セルを複数備えたプラズマディスプレイパネルの駆動方法であって、
前記放電セルで初期化放電を発生させる初期化期間と、前記放電セルで選択的に書込み放電を発生させる書込み期間と、前記書込み放電を発生させた放電セルで維持放電を発生させる維持期間とを有する複数のサブフィールドを時間的に配置して１フィールド期間を構成し、
少なくとも１つのサブフィールドの初期化期間において、画像表示を行う全ての前記放電セルに対して前記初期化放電を発生させる全セル初期化動作を行い、
前記全セル初期化動作を行う初期化期間のあるサブフィールド以外のサブフィールドでは、前記書込み放電を発生する書込み期間のあるサブフィールドと前記書込み放電を発生させない書込み期間のあるサブフィールドとを任意に組み合わせて前記放電セルで階調を表示するとともに、
前記全セル初期化動作を行う初期化期間のあるサブフィールドに続くいずれかのサブフィールドの書き込み期間で前記書込み放電を発生させる放電セルでは、前記全セル初期化動作を行う初期化期間のあるサブフィールドの書込み期間でも前記書込み放電を発生させる書き込み期間を備えることを特徴とするプラズマディスプレイパネルの駆動方法。
【請求項２】
前記維持期間において、前記表示電極対に維持パルスを印加した後、前記走査電極に緩やかに上昇する上り傾斜波形電圧を印加することを特徴とする請求項１に記載のプラズマディスプレイパネルの駆動方法。
【請求項３】
走査電極と維持電極とからなる表示電極対とデータ電極とを有する放電セルを複数備えたプラズマディスプレイパネルと、
前記放電セルで初期化放電を発生させる初期化期間と、前記放電セルで選択的に書込み放電を発生させる書込み期間と、前記書込み放電を発生させた放電セルで維持放電を発生させる維持期間とを有する複数のサブフィールドを時間的に配置して１フィールド期間を構成して前記プラズマディスプレイパネルを駆動する駆動回路とを備え、
前記駆動回路は、少なくとも１つのサブフィールドの前記初期化期間において、画像表示を行う全ての前記放電セルに対して前記初期化放電を発生させる全セル初期化動作を行い、
前記全セル初期化動作を行う初期化期間のあるサブフィールドに続くいずれかのサブフィールドで前記書込み放電を発生させる放電セルは、前記全セル初期化動作を行う初期化期間のあるサブフィールドの書き込み期間でも前記書込み放電を発生させるように制御することを特徴とするプラズマディスプレイ装置。
【発明の詳細な説明】
【技術分野】
【０００１】
本発明は、壁掛けテレビや大型モニターに用いられるプラズマディスプレイパネルの駆動方法およびプラズマディスプレイ装置に関する。
【背景技術】
【０００２】
プラズマディスプレイパネル（以下、「パネル」と略記する）として代表的な交流面放電型パネルは、１対の走査電極と維持電極とからなる表示電極対が複数形成された前面板と、複数の平行なデータ電極が形成された背面板とを対向配置し、その間に多数の放電セルが形成されている。このような構成のパネルの放電セル内でガス放電により紫外線を発生させ、この紫外線で赤色、緑色および青色の各色の蛍光体を励起発光させてカラー表示を行っている。【０００３】
パネルを駆動する方法としてはサブフィールド法、すなわち、１フィールド期間を複数のサブフィールドに分割した上で、発光させるサブフィールドの組み合わせによって階調表示を行う方法が一般的である。各サブフィールドは、初期化期間、書込み期間および維持期間を有し、初期化期間では初期化放電を発生し、続く書込み動作に必要な壁電荷を形成する。なお初期化期間には、直前のサブフィールドの維持期間で維持動作を行った放電セルに対して初期化放電を行う選択初期化動作を行う選択初期化期間と、画像表示を行う全ての放電セルに対して初期化放電を発生させる全セル初期化動作を行う全セル初期化期間とがある。【０００４】
書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。【０００５】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた駆動方法が開示されている（例えば、特許文献１参照）。【０００６】
しかしながら、近年はパネルの大画面化が進む一方で高精細化が進められ、放電セルがますます微細化する傾向がある。そして放電セルが小さくなるにつれて放電セルの壁電荷の制御が難しくなり、書込み動作を行うべき放電セルで書込み放電が発生しない等の動作不良が発生して画像表示品質を低下させる恐れがあった。
【特許文献１】特開２０００−２４２２２４号公報
【発明の開示】
【０００７】
本発明は、走査電極と維持電極とからなる表示電極対とデータ電極とを有する放電セルを複数備えたパネルの駆動方法であって、放電セルで初期化放電を発生させる初期化期間と、放電セルで選択的に書込み放電を発生させる書込み期間と、書込み放電を発生させた放電セルで維持放電を発生させる維持期間とを有する複数のサブフィールドを時間的に配置して１フィールド期間を構成している。そして、少なくとも１つのサブフィールドの初期化期間において、画像表示を行う全ての放電セルに対して初期化放電を発生させる全セル初期化動作を行い、全セル初期化動作を行う初期化期間のあるサブフィールド以外のサブフィールドでは、書込み放電を発生する書込み期間のあるサブフィールドと書込み放電を発生させない書込み期間のあるサブフィールドとを任意に組み合わせて放電セルで階調を表示する。
【０００８】
また、全セル初期化動作を行う初期化期間のあるサブフィールドに続くいずれかのサブフィールドの書込み期間で書込み放電を発生させる放電セルでは、全セル初期化動作を行う初期化期間のあるサブフィールドでも書込み放電を発生させる書込み期間を備えることを特徴とする。この方法により、高精細度パネルであっても動作不良を発生することなく、品質の高い画像表示が可能となる。
【０００９】
また、本発明のパネルの駆動方法は、維持期間において表示電極対に維持パルスを印加した後、走査電極に緩やかに上昇する上り傾斜波形電圧を印加してもよい。
【００１０】
また、本発明のプラズマディスプレイ装置は、走査電極と維持電極とからなる表示電極対とデータ電極とを有する放電セルを複数備えたパネルと、放電セルで初期化放電を発生させる初期化期間と、放電セルで選択的に書込み放電を発生させる書込み期間と、書込み放電を発生させた放電セルで維持放電を発生させる維持期間とを有する複数のサブフィールドを時間的に配置して１フィールド期間を構成してパネルを駆動する駆動回路とを備えている。そして、駆動回路は、少なくとも１つのサブフィールドの初期化期間において画像表示を行う全ての放電セルに対して初期化放電を発生させる全セル初期化動作を行う。
【００１１】
また、全セル初期化動作を行う初期化期間のあるサブフィールドに続くいずれかのサブフィールドの書込み期間において書込み放電を発生させる放電セルは、全セル初期化動作を行う初期化期間のあるサブフィールドの書込み期間でも書込み放電を発生させるように制御することを特徴とする。
【００１２】
このような構成により、高精細度パネルであっても動作不良を発生することなく、品質の高い画像表示が可能なパネルの駆動方法およびプラズマディスプレイ装置を提供することが可能となる。
【図面の簡単な説明】
【００１３】
【図１】図１は、本発明の実施の形態に用いるパネルの構造を示す分解斜視図である。
【図２】図２は、本発明の実施の形態に用いるパネルの電極配列図である。
【図３】図３は、本発明の実施の形態におけるプラズマディスプレイ装置の回路ブロック図である。
【図４】図４は、本発明の実施の形態におけるパネルの各電極に印加する駆動電圧波形図である。
【図５】図５は、本発明の実施の形態におけるコーディングを示す図である。
【図６】図６は、本発明の他の実施の形態におけるコーディングを示す図である。
【図７】図７は、本発明のさらに他の実施の形態におけるコーディングを示す図である。
【符号の説明】
【００１４】
１０    パネル
２２    走査電極
２３    維持電極
２４    表示電極対
３２    データ電極
５１    画像信号処理回路
５２    データ電極駆動回路
５３    走査電極駆動回路
５４    維持電極駆動回路
５５    タイミング発生回路
１００    プラズマディスプレイ装置
【発明を実施するための最良の形態】
【００１５】
以下、本発明の実施の形態におけるプラズマディスプレイ装置について、図面を用いて説明する。【００１６】
（実施の形態）
図１は、本発明の実施の形態に用いるパネル１０の構造を示す分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。【００１７】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えば分圧比で１０％のキセノンを含む放電ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。【００１８】
なお、パネル１０の構造は上述したものに限られるわけではなく、例えばストライプ状の隔壁を備えたものであってもよい。【００１９】
図２は、本発明の実施の形態に用いるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。【００２０】
図３は、本発明の実施の形態におけるパネル１０を用いたプラズマディスプレイ装置１００の回路ブロック図である。プラズマディスプレイ装置１００は、パネル１０、画像信号処理回路５１、データ電極駆動回路５２、走査電極駆動回路５３、維持電極駆動回路５４、タイミング発生回路５５および各回路ブロックに必要な電源を供給する電源回路（図示せず）を備えている。【００２１】
画像信号処理回路５１は、入力された画像信号をサブフィールド毎の発光・非発光を示す画像データに変換する。データ電極駆動回路５２は、サブフィールド毎の画像データを各データ電極Ｄ１〜データ電極Ｄｍに対応する信号に変換し、各データ電極Ｄ１〜データ電極Ｄｍを駆動する。【００２２】
タイミング発生回路５５は、水平同期信号および垂直同期信号をもとにして各回路ブロックの動作を制御する各種のタイミング信号を発生し、それぞれの回路ブロックへ供給する。走査電極駆動回路５３はタイミング信号にもとづいて走査電極２２のそれぞれを駆動し、維持電極駆動回路５４はタイミング信号にもとづいて維持電極２３を駆動する。【００２３】
次に、パネル１０を駆動するための駆動電圧波形とその動作について説明する。プラズマディスプレイ装置１００は、サブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を備える。【００２４】
初期化期間では初期化放電を発生し、続く書込み期間での書込み放電に必要な壁電荷を各電極上に形成する。なお、初期化動作には、全セル初期化動作と選択初期化動作とがあり、画像表示を行う全ての放電セルに対して初期化放電を発生させる全セル初期化動作を行う初期化期間を全セル初期化期間、また直前のサブフィールドの維持期間で維持動作を行った放電セルに対して初期化放電を行う選択初期化動作を行う初期化期間を選択初期化期間である。【００２５】
次に書込み期間では、発光させるべき放電セルで選択的に書込み放電を発生し壁電荷を形成する。そして維持期間では、輝度重みに応じた数の維持パルスを表示電極対２４に交互に印加して、書込み放電を発生した放電セルで維持放電を発生させて発光させる。【００２６】
本実施の形態におけるサブフィールド構成は、１フィールドを１０のサブフィールド（「第１ＳＦ」、「第２ＳＦ」、・・・、「第１０ＳＦ」：サブフィールドを「ＳＦ」と記す）に分割し、各サブフィールドはそれぞれ、例えば「１」、「２」、「３」、「６」、「１１」、「１８」、「３０」、「４４」、「６０」、「８０」の輝度重みをそれぞれ持つものとする。また、第１ＳＦは全セル初期化期間をもつ全セル初期化サブフィールドであり、第２ＳＦ〜第１０ＳＦは選択初期化期間をもつ選択初期化サブフィールドである。【００２７】
図４は、本発明の実施の形態におけるパネル１０の各電極に印加する駆動電圧波形図である。図４には、全セル初期化動作を行う第１ＳＦと選択初期化動作を行う第２ＳＦとを示している。【００２８】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。ここで、電極上部の壁電圧とは電極を覆う誘電体層上、保護層上、蛍光体層上等に蓄積された壁電荷により生じる電圧を表す。【００２９】
初期化期間後半部では、維持電極ＳＵ１〜維持電極ＳＵｎに正の電圧Ｖｅ１を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。【００３０】
続く書込み期間では、維持電極ＳＵ１〜維持電極ＳＵｎに電圧Ｖｅ２を、走査電極ＳＣ１〜走査電極ＳＣｎに電圧Ｖｃを印加する。【００３１】
次に、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。【００３２】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作を走査電極ＳＣｎのｎ行目の放電セルに至るまで行い、書込み期間が終了する。【００３３】
続く維持期間では、まず走査電極ＳＣ１〜走査電極ＳＣｎに正の維持パルス電圧Ｖｓを印加するとともに維持電極ＳＵ１〜維持電極ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。【００３４】
続いて、走査電極ＳＣ１〜走査電極ＳＣｎには０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに交互に輝度重みに輝度倍率を乗じた数の維持パルスを印加し、表示電極対の電極間に電位差を与えることにより、書込み期間において書込み放電を起こした放電セルで維持放電が継続して行われる。【００３５】
そして、維持期間の最後には、走査電極ＳＣ１〜走査電極ＳＣｎに緩やかに上昇する傾斜波形電圧を印加して、データ電極Ｄｋ上の正の壁電圧を残したまま、走査電極ＳＣｉおよび維持電極ＳＵｉ上の壁電圧を消去している。具体的には、維持電極ＳＵ１〜維持電極ＳＵｎを０（Ｖ）に戻した後、走査電極ＳＣ１〜走査電極ＳＣｎに維持パルス電圧Ｖｓに等しいか、それより高い電圧Ｖｓｓまで緩やかに上昇する傾斜波形電圧を印加する。すると、維持放電を起こした放電セルの維持電極ＳＵｉと走査電極ＳＣｉとの間で弱い放電が起こり、走査電極ＳＣｉ上と維持電極ＳＵｉ上との間の壁電圧が弱められる。こうして維持期間における維持動作が終了する。【００３６】
選択初期化動作を行う第２ＳＦの初期化期間では、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに電圧Ｖｉ３３から電圧Ｖｉ４に向かって緩やかに下降する傾斜波形電圧を印加する。すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。【００３７】
一方、前のサブフィールドで維持放電を起こさなかった放電セルについては放電することはなく、前のサブフィールドの初期化期間終了時における壁電荷がそのまま保たれる。このように選択初期化動作は、直前のサブフィールドの維持期間で維持動作を行った放電セルに対して選択的に初期化放電を行う動作である。【００３８】
続く書込み期間の動作は全セル初期化動作を行う初期化期間のあるサブフィールドの書込み期間の動作と同様であるため説明を省略する。続く維持期間の動作も、維持パルスの数を除いて同様である。また、第３ＳＦ〜第１０ＳＦの動作も維持パルスの数を除いて第２ＳＦの動作と同様である。【００３９】
次に、本実施の形態における階調の表示方法について説明する。図５は、本発明の実施の形態における、表示すべき画像信号の階調とそのときのサブフィールドの書込み動作の有無との関係（以下、「コーディング」と略記する）を示す図であり、「１」は書込み動作を行うことを示し、「０」は書込み動作を行わないことを示している。例えば階調「０」、すなわち黒を表示する放電セルでは、第１ＳＦ〜第１０ＳＦの全てのサブフィールドの書込み期間で書込み動作を行わない。するとその放電セルは１フィールドの間では一度も維持放電することがないので輝度も最も低くなる。【００４０】
また階調「１」を表示する放電セルでは、輝度重み「１」を持つサブフィールドである第１ＳＦの書込み期間でのみ書込み動作を行い、それ以外のサブフィールドでは書込み動作を行わない。するとその放電セルは輝度重み「１」に応じた回数の維持放電を発生し、階調「１」の明るさを表示する。【００４１】
また階調「３」を表示する放電セルでは、輝度重み「１」を持つ第１ＳＦの書込み期間と輝度重み「２」を持つ第２ＳＦの書込み期間で書込み動作を行う。するとその放電セルは第１ＳＦの維持期間に輝度重み「１」に応じた回数の維持放電を発生し、第２ＳＦの維持期間に輝度重み「２」に応じた回数の維持放電を発生するため、合計で階調「３」の明るさを表示する。【００４２】
同様に階調「４」を表示する放電セルでは、第１ＳＦと第３ＳＦとのそれぞれの書き込み期間で書込み動作を行い、階調「６」を表示する放電セルでは第１ＳＦと第２ＳＦと第３ＳＦとのそれぞれの書き込み期間で書込み動作を行い、また階調「７」を表示する放電セルでは、第１ＳＦと第４ＳＦとのそれぞれの書き込み期間で書込み動作を行う。その他の階調を表示する場合にも、図５に示すコーディングに従ってそれぞれのサブフィールドで書込み動作を行うかまたは書込み動作を行わないように制御している。【００４３】
このように本実施の形態においては、図５に示すように、第２ＳＦ以降の選択初期化動作を行う初期化期間をもつサブフィールドでは、書込み期間において書込み動作を行うサブフィールドと書込み動作を行わないサブフィールドとを任意に組み合わせる、いわゆるランダムコーディングを用いて階調を表示している。【００４４】
このように、ランダムコーディングを用いることにより、多くの階調の表示を可能としている。そして、第２ＳＦ〜第１０ＳＦのいずれかの書込み期間で書込み動作を行う放電セルでは、第１ＳＦの書込み期間でも書込み動作を行うように制御している。言い換えれば、全セル初期化動作を行う第１ＳＦの書込み期間で書込み動作を行わなかった放電セルでは、続く第２ＳＦ〜第１０ＳＦのどの書込み期間でも書込み動作を行うことはない。本実施の形態においては、このようなコーディングにより階調を表示することで、高精細度パネルであっても動作不良を発生することなく、品質の高い画像表示を実現している。【００４５】
次に、その理由について説明する。一般に、放電が発生すると放電空間に正および負の荷電粒子が生じる。そしてこの荷電粒子が放電セルの壁に付着すると壁電圧を変化させ、放電空間内部の電界強度を変化させて放電現象に影響を与える。例えば書込み動作を行わない放電セルＡに隣接する放電セルＢで書込み放電が発生した場合、放電セルＢで発生した荷電粒子が書込み動作を行わない放電セルＡに飛来して壁電圧を減少させることがある。そして書込み動作に必要なデータ電極上の正の壁電圧が減少しすぎると、それ以降の書込み動作ができなくなる動作不良が発生して画像表示品質を低下させる恐れがあった。【００４６】
発明者は、全ての放電セルに高い電圧を印加して初期化放電を発生する全セル初期化動作の後の書込み期間においてこの書込み動作ができなくなる動作不良が発生して画像表示品質を低下させる現象が発生しやすいことを実験的に確認した。加えて、維持期間の最後に走査電極に緩やかに上昇する傾斜波形電圧を印加した後、走査電極に緩やかに下降する傾斜波形電圧を印加する選択初期化動作の後の書込み期間においてはこの現象が発生しにくいことも実験的に確認した。【００４７】
さらに、パネルの高精細度化が進むにつれて、この現象が発生しやすくなることも確認した。これは、高精細度パネルでは放電セルが小さく、壁電圧を決定している壁電荷の量も少ないので、壁電荷量が僅かに減少しても壁電圧が大きく低下するためと考えることができる。【００４８】
しかしながら本実施の形態におけるコーディングによれば、全セル初期化動作を行う第１ＳＦの書込み期間で書込み動作を行わなかった場合には、続く第２ＳＦ〜第１０ＳＦのどの書込み期間でも書込み動作を行わない。したがって、第１ＳＦの書込み期間において書込み動作を行わなかった放電セルの壁電圧が減少したとしても、続く第２ＳＦ〜第１０ＳＦのどの書込み期間で書込み動作を行うことはないため、表示画像に影響を与えることがない。【００４９】
なお、図５に示したコーディングによれば、例えば、階調「２」、階調「５」、・・・等のいくつかの階調が表示できない。しかし、例えば各サブフィールドの輝度重みを変更する、または輝度重み「１」を持つサブフィールドを追加する等により、これらの階調を表示することができる。【００５０】
図６は、本発明の他の実施の形態におけるコーディングを示す図であり、各サブフィールドの輝度重みを変更した例を示す。図７は本発明のさらに他の実施の形態におけるコーディングを示す図であり、輝度重み「１」を持つサブフィールドを追加した例を示す。【００５１】
このように本発明は、サブフィールド数や各サブフィールドの輝度重みが上記の値に限定されるものではなく、表示する画像等にもとづいて最適に設定することができる。【００５２】
また、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００５３】
本発明のパネルの駆動方法およびプラズマディスプレイ装置は、高精細度パネルであっても動作不良を発生することなく、品質の高い画像表示が可能なプラズマディスプレイ装置を実現するために有用である。
【図１】
2008087805.tif 000003
【図２】
2008087805.tif 000004
【図３】
2008087805.tif 000005
【図４】
2008087805.tif 000006
【図５】
2008087805.tif 000007
【図６】
2008087805.tif 000008
【図７】
2008087805.tif 000009
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
走査電極と維持電極とからなる表示電極対とデータ電極とを有する放電セルを複数備えたプラズマディスプレイパネルの駆動方法であって、
前記放電セルで初期化放電を発生させる初期化期間と、前記放電セルで選択的に書込み放電を発生させる書込み期間と、前記書込み放電を発生させた放電セルで維持放電を発生させる維持期間とを有する複数のサブフィールドを時間的に配置して１フィールド期間を構成し、
前記１フィールド期間は、画像表示を行う全ての前記放電セルに対して前記初期化放電を発生させる全セル初期化動作を行うサブフィールドと、前のサブフィールドで維持放電を起こした放電セルのみ前記初期化放電を発生させる選択初期化動作を行うサブフィールドが含まれ、
前記維持期間の最後には前記走査電極に緩やかに上昇する上り傾斜波形電圧を印加し、
前記選択初期化動作を行うサブフィールドでは、前記書込み放電を発生する書込み期間のあるサブフィールドと前記書込み放電を発生させない書込み期間のあるサブフィールドとを任意に組み合わせて前記放電セルで階調を表示するとともに、
前記全セル初期化動作を行う初期化期間のあるサブフィールドに続くいずれかの前記選択初期化動作を行うサブフィールドの書き込み期間で前記書込み放電を発生させる放電セルでは、前記全セル初期化動作を行うサブフィールドの書込み期間でも前記書込み放電を発生させる書き込み期間を備える
ことを特徴とするプラズマディスプレイパネルの駆動方法。
【請求項２】
（削除）
【請求項３】
走査電極と維持電極とからなる表示電極対とデータ電極とを有する放電セルを複数備えたプラズマディスプレイパネルと、
前記放電セルで初期化放電を発生させる初期化期間と、前記放電セルで選択的に書込み放電を発生させる書込み期間と、前記書込み放電を発生させた放電セルで維持放電を発生させる維持期間とを有する複数のサブフィールドを時間的に配置して１フィールド期間を構成して前記プラズマディスプレイパネルを駆動する駆動回路とを備え、
前記駆動回路は、少なくとも１つのサブフィールドの前記初期化期間において、画像表示を行う全ての前記放電セルに対して前記初期化放電を発生させる全セル初期化動作を行い、
前記維持期間の最後には前記走査電極に緩やかに上昇する上り傾斜波形電圧を印加し、
前記全セル初期化動作を行う初期化期間のあるサブフィールドに続くいずれかのサブフィールドで前記書込み放電を発生させる放電セルは、前記全セル初期化動作を行う初期化期間のあるサブフィールドの書き込み期間でも前記書込み放電を発生させるように制御することを特徴とするプラズマディスプレイ装置。
【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
走査電極と維持電極とからなる表示電極対とデータ電極とを有する放電セルを複数備えたプラズマディスプレイパネルの駆動方法であって、
前記放電セルで初期化放電を発生させる初期化期間と、前記放電セルで選択的に書込み放電を発生させる書込み期間と、前記書込み放電を発生させた放電セルで維持放電を発生させる維持期間とを有する複数のサブフィールドを時間的に配置して１フィールド期間を構成し、
前記１フィールド期間は、画像表示を行う全ての前記放電セルに対して前記初期化放電を発生させる全セル初期化動作を行うサブフィールドと、前のサブフィールドで維持放電を起こした放電セルのみ前記初期化放電を発生させる選択初期化動作を行うサブフィールドが含まれ、
前記維持期間の最後には前記走査電極に緩やかに上昇する上り傾斜波形電圧を印加し、
前記選択初期化動作を行うサブフィールドでは、前記書込み放電を発生する書込み期間のあるサブフィールドと前記書込み放電を発生させない書込み期間のあるサブフィールドとを任意に組み合わせて前記放電セルで階調を表示するとともに、
前記全セル初期化動作を行う初期化期間のあるサブフィールドに続くいずれかの前記選択初期化動作を行うサブフィールドの書き込み期間で前記書込み放電を発生させる放電セルでは、前記全セル初期化動作を行うサブフィールドの書込み期間でも前記書込み放電を発生させる書き込み期間を備える
ことを特徴とするプラズマディスプレイパネルの駆動方法。
【請求項２】
走査電極と維持電極とからなる表示電極対とデータ電極とを有する放電セルを複数備えたプラズマディスプレイパネルと、
前記放電セルで初期化放電を発生させる初期化期間と、前記放電セルで選択的に書込み放電を発生させる書込み期間と、前記書込み放電を発生させた放電セルで維持放電を発生させる維持期間とを有する複数のサブフィールドを時間的に配置して１フィールド期間を構成して前記プラズマディスプレイパネルを駆動する駆動回路とを備え、
前記駆動回路は、少なくとも１つのサブフィールドの前記初期化期間において、画像表示を行う全ての前記放電セルに対して前記初期化放電を発生させる全セル初期化動作を行い、
前記維持期間の最後には前記走査電極に緩やかに上昇する上り傾斜波形電圧を印加し、
前記全セル初期化動作を行う初期化期間のあるサブフィールドに続くいずれかのサブフィールドで前記書込み放電を発生させる放電セルは、前記全セル初期化動作を行う初期化期間のあるサブフィールドの書き込み期間でも前記書込み放電を発生させるように制御することを特徴とするプラズマディスプレイ装置。
【手続補正２】
【補正対象書類名】明細書
【補正対象項目名】全文
【補正方法】変更
【補正の内容】
【発明の詳細な説明】
【技術分野】
【０００１】
本発明は、壁掛けテレビや大型モニターに用いられるプラズマディスプレイパネルの駆動方法およびプラズマディスプレイ装置に関する。
【背景技術】
【０００２】
プラズマディスプレイパネル（以下、「パネル」と略記する）として代表的な交流面放電型パネルは、１対の走査電極と維持電極とからなる表示電極対が複数形成された前面板と、複数の平行なデータ電極が形成された背面板とを対向配置し、その間に多数の放電セルが形成されている。このような構成のパネルの放電セル内でガス放電により紫外線を発生させ、この紫外線で赤色、緑色および青色の各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。各サブフィールドは、初期化期間、書込み期間および維持期間を有し、初期化期間では初期化放電を発生し、続く書込み動作に必要な壁電荷を形成する。なお初期化期間には、直前のサブフィールドの維持期間で維持動作を行った放電セルに対して初期化放電を行う選択初期化動作を行う選択初期化期間と、画像表示を行う全ての放電セルに対して初期化放電を発生させる全セル初期化動作を行う全セル初期化期間とがある。
【０００４】
書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００５】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた駆動方法が開示されている（例えば、特許文献１参照）。
【０００６】
しかしながら、近年はパネルの大画面化が進む一方で高精細化が進められ、放電セルがますます微細化する傾向がある。そして放電セルが小さくなるにつれて放電セルの壁電荷の制御が難しくなり、書込み動作を行うべき放電セルで書込み放電が発生しない等の動作不良が発生して画像表示品質を低下させる恐れがあった。
【特許文献１】特開２０００−２４２２２４号公報
【発明の開示】
【０００７】
本発明は、走査電極と維持電極とからなる表示電極対とデータ電極とを有する放電セルを複数備えたパネルの駆動方法であって、放電セルで初期化放電を発生させる初期化期間と、放電セルで選択的に書込み放電を発生させる書込み期間と、書込み放電を発生させた放電セルで維持放電を発生させる維持期間とを有する複数のサブフィールドを時間的に配置して１フィールド期間を構成している。そして、少なくとも１つのサブフィールドの初期化期間において、画像表示を行う全ての放電セルに対して初期化放電を発生させる全セル初期化動作を行い、全セル初期化動作を行う初期化期間のあるサブフィールド以外のサブフィールドでは、書込み放電を発生する書込み期間のあるサブフィールドと書込み放電を発生させない書込み期間のあるサブフィールドとを任意に組み合わせて放電セルで階調を表示する。
【０００８】
また、全セル初期化動作を行う初期化期間のあるサブフィールドに続くいずれかのサブフィールドの書込み期間で書込み放電を発生させる放電セルでは、全セル初期化動作を行う初期化期間のあるサブフィールドでも書込み放電を発生させる書込み期間を備えることを特徴とする。この方法により、高精細度パネルであっても動作不良を発生することなく、品質の高い画像表示が可能となる。
【０００９】
また、本発明のパネルの駆動方法は、維持期間において表示電極対に維持パルスを印加した後、走査電極に緩やかに上昇する上り傾斜波形電圧を印加してもよい。
【００１０】
また、本発明のプラズマディスプレイ装置は、走査電極と維持電極とからなる表示電極対とデータ電極とを有する放電セルを複数備えたパネルと、放電セルで初期化放電を発生させる初期化期間と、放電セルで選択的に書込み放電を発生させる書込み期間と、書込み放電を発生させた放電セルで維持放電を発生させる維持期間とを有する複数のサブフィールドを時間的に配置して１フィールド期間を構成してパネルを駆動する駆動回路とを備えている。そして、駆動回路は、少なくとも１つのサブフィールドの初期化期間において画像表示を行う全ての放電セルに対して初期化放電を発生させる全セル初期化動作を行う。
【００１１】
また、全セル初期化動作を行う初期化期間のあるサブフィールドに続くいずれかのサブフィールドの書込み期間において書込み放電を発生させる放電セルは、全セル初期化動作を行う初期化期間のあるサブフィールドの書込み期間でも書込み放電を発生させるように制御することを特徴とする。
【００１２】
このような構成により、高精細度パネルであっても動作不良を発生することなく、品質の高い画像表示が可能なパネルの駆動方法およびプラズマディスプレイ装置を提供することが可能となる。
【発明を実施するための最良の形態】
【００１３】
以下、本発明の実施の形態におけるプラズマディスプレイ装置について、図面を用いて説明する。
【００１４】
（実施の形態）
図１は、本発明の実施の形態に用いるパネル１０の構造を示す分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１５】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えば分圧比で１０％のキセノンを含む放電ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１６】
なお、パネル１０の構造は上述したものに限られるわけではなく、例えばストライプ状の隔壁を備えたものであってもよい。
【００１７】
図２は、本発明の実施の形態に用いるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１８】
図３は、本発明の実施の形態におけるパネル１０を用いたプラズマディスプレイ装置１００の回路ブロック図である。プラズマディスプレイ装置１００は、パネル１０、画像信号処理回路５１、データ電極駆動回路５２、走査電極駆動回路５３、維持電極駆動回路５４、タイミング発生回路５５および各回路ブロックに必要な電源を供給する電源回路（図示せず）を備えている。
【００１９】
画像信号処理回路５１は、入力された画像信号をサブフィールド毎の発光・非発光を示す画像データに変換する。データ電極駆動回路５２は、サブフィールド毎の画像データを各データ電極Ｄ１〜データ電極Ｄｍに対応する信号に変換し、各データ電極Ｄ１〜データ電極Ｄｍを駆動する。
【００２０】
タイミング発生回路５５は、水平同期信号および垂直同期信号をもとにして各回路ブロックの動作を制御する各種のタイミング信号を発生し、それぞれの回路ブロックへ供給する。走査電極駆動回路５３はタイミング信号にもとづいて走査電極２２のそれぞれを駆動し、維持電極駆動回路５４はタイミング信号にもとづいて維持電極２３を駆動する。
【００２１】
次に、パネル１０を駆動するための駆動電圧波形とその動作について説明する。プラズマディスプレイ装置１００は、サブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を備える。
【００２２】
初期化期間では初期化放電を発生し、続く書込み期間での書込み放電に必要な壁電荷を各電極上に形成する。なお、初期化動作には、全セル初期化動作と選択初期化動作とがあり、画像表示を行う全ての放電セルに対して初期化放電を発生させる全セル初期化動作を行う初期化期間を全セル初期化期間、また直前のサブフィールドの維持期間で維持動作を行った放電セルに対して初期化放電を行う選択初期化動作を行う初期化期間を選択初期化期間である。
【００２３】
次に書込み期間では、発光させるべき放電セルで選択的に書込み放電を発生し壁電荷を形成する。そして維持期間では、輝度重みに応じた数の維持パルスを表示電極対２４に交互に印加して、書込み放電を発生した放電セルで維持放電を発生させて発光させる。
【００２４】
本実施の形態におけるサブフィールド構成は、１フィールドを１０のサブフィールド（「第１ＳＦ」、「第２ＳＦ」、・・・、「第１０ＳＦ」：サブフィールドを「ＳＦ」と記す）に分割し、各サブフィールドはそれぞれ、例えば「１」、「２」、「３」、「６」、「１１」、「１８」、「３０」、「４４」、「６０」、「８０」の輝度重みをそれぞれ持つものとする。また、第１ＳＦは全セル初期化期間をもつ全セル初期化サブフィールドであり、第２ＳＦ〜第１０ＳＦは選択初期化期間をもつ選択初期化サブフィールドである。
【００２５】
図４は、本発明の実施の形態におけるパネル１０の各電極に印加する駆動電圧波形図である。図４には、全セル初期化動作を行う第１ＳＦと選択初期化動作を行う第２ＳＦとを示している。
【００２６】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００２７】
初期化期間後半部では、維持電極ＳＵ１〜維持電極ＳＵｎに正の電圧Ｖｅ１を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００２８】
続く書込み期間では、維持電極ＳＵ１〜維持電極ＳＵｎに電圧Ｖｅ２を、走査電極ＳＣ１〜走査電極ＳＣｎに電圧Ｖｃを印加する。
【００２９】
次に、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３０】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作を走査電極ＳＣｎのｎ行目の放電セルに至るまで行い、書込み期間が終了する。
【００３１】
続く維持期間では、まず走査電極ＳＣ１〜走査電極ＳＣｎに正の維持パルス電圧Ｖｓを印加するとともに維持電極ＳＵ１〜維持電極ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００３２】
続いて、走査電極ＳＣ１〜走査電極ＳＣｎには０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに交互に輝度重みに輝度倍率を乗じた数の維持パルスを印加し、表示電極対の電極間に電位差を与えることにより、書込み期間において書込み放電を起こした放電セルで維持放電が継続して行われる。
【００３３】
そして、維持期間の最後には、走査電極ＳＣ１〜走査電極ＳＣｎに緩やかに上昇する傾斜波形電圧を印加して、データ電極Ｄｋ上の正の壁電圧を残したまま、走査電極ＳＣｉおよび維持電極ＳＵｉ上の壁電圧を消去している。具体的には、維持電極ＳＵ１〜維持電極ＳＵｎを０（Ｖ）に戻した後、走査電極ＳＣ１〜走査電極ＳＣｎに維持パルス電圧Ｖｓに等しいか、それより高い電圧Ｖｓｓまで緩やかに上昇する傾斜波形電圧を印加する。すると、維持放電を起こした放電セルの維持電極ＳＵｉと走査電極ＳＣｉとの間で弱い放電が起こり、走査電極ＳＣｉ上と維持電極ＳＵｉ上との間の壁電圧が弱められる。こうして維持期間における維持動作が終了する。
【００３４】
選択初期化動作を行う第２ＳＦの初期化期間では、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに電圧Ｖｉ３３から電圧Ｖｉ４に向かって緩やかに下降する傾斜波形電圧を印加する。すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。
【００３５】
一方、前のサブフィールドで維持放電を起こさなかった放電セルについては放電することはなく、前のサブフィールドの初期化期間終了時における壁電荷がそのまま保たれる。このように選択初期化動作は、直前のサブフィールドの維持期間で維持動作を行った放電セルに対して選択的に初期化放電を行う動作である。
【００３６】
続く書込み期間の動作は全セル初期化動作を行う初期化期間のあるサブフィールドの書込み期間の動作と同様であるため説明を省略する。続く維持期間の動作も、維持パルスの数を除いて同様である。また、第３ＳＦ〜第１０ＳＦの動作も維持パルスの数を除いて第２ＳＦの動作と同様である。
【００３７】
次に、本実施の形態における階調の表示方法について説明する。図５は、本発明の実施の形態における、表示すべき画像信号の階調とそのときのサブフィールドの書込み動作の有無との関係（以下、「コーディング」と略記する）を示す図であり、「１」は書込み動作を行うことを示し、「０」は書込み動作を行わないことを示している。例えば階調「０」、すなわち黒を表示する放電セルでは、第１ＳＦ〜第１０ＳＦの全てのサブフィールドの書込み期間で書込み動作を行わない。するとその放電セルは１フィールドの間では一度も維持放電することがないので輝度も最も低くなる。
【００３８】
また階調「１」を表示する放電セルでは、輝度重み「１」を持つサブフィールドである第１ＳＦの書込み期間でのみ書込み動作を行い、それ以外のサブフィールドでは書込み動作を行わない。するとその放電セルは輝度重み「１」に応じた回数の維持放電を発生し、階調「１」の明るさを表示する。
【００３９】
また階調「３」を表示する放電セルでは、輝度重み「１」を持つ第１ＳＦの書込み期間と輝度重み「２」を持つ第２ＳＦの書込み期間で書込み動作を行う。するとその放電セルは第１ＳＦの維持期間に輝度重み「１」に応じた回数の維持放電を発生し、第２ＳＦの維持期間に輝度重み「２」に応じた回数の維持放電を発生するため、合計で階調「３」の明るさを表示する。
【００４０】
同様に階調「４」を表示する放電セルでは、第１ＳＦと第３ＳＦとのそれぞれの書き込み期間で書込み動作を行い、階調「６」を表示する放電セルでは第１ＳＦと第２ＳＦと第３ＳＦとのそれぞれの書き込み期間で書込み動作を行い、また階調「７」を表示する放電セルでは、第１ＳＦと第４ＳＦとのそれぞれの書き込み期間で書込み動作を行う。その他の階調を表示する場合にも、図５に示すコーディングに従ってそれぞれのサブフィールドで書込み動作を行うかまたは書込み動作を行わないように制御している。
【００４１】
このように本実施の形態においては、図５に示すように、第２ＳＦ以降の選択初期化動作を行う初期化期間をもつサブフィールドでは、書込み期間において書込み動作を行うサブフィールドと書込み動作を行わないサブフィールドとを任意に組み合わせる、いわゆるランダムコーディングを用いて階調を表示している。
【００４２】
このように、ランダムコーディングを用いることにより、多くの階調の表示を可能としている。そして、第２ＳＦ〜第１０ＳＦのいずれかの書込み期間で書込み動作を行う放電セルでは、第１ＳＦの書込み期間でも書込み動作を行うように制御している。言い換えれば、全セル初期化動作を行う第１ＳＦの書込み期間で書込み動作を行わなかった放電セルでは、続く第２ＳＦ〜第１０ＳＦのどの書込み期間でも書込み動作を行うことはない。本実施の形態においては、このようなコーディングにより階調を表示することで、高精細度パネルであっても動作不良を発生することなく、品質の高い画像表示を実現している。
【００４３】
次に、その理由について説明する。一般に、放電が発生すると放電空間に正および負の荷電粒子が生じる。そしてこの荷電粒子が放電セルの壁に付着すると壁電圧を変化させ、放電空間内部の電界強度を変化させて放電現象に影響を与える。例えば書込み動作を行わない放電セルＡに隣接する放電セルＢで書込み放電が発生した場合、放電セルＢで発生した荷電粒子が書込み動作を行わない放電セルＡに飛来して壁電圧を減少させることがある。そして書込み動作に必要なデータ電極上の正の壁電圧が減少しすぎると、それ以降の書込み動作ができなくなる動作不良が発生して画像表示品質を低下させる恐れがあった。
【００４４】
発明者は、全ての放電セルに高い電圧を印加して初期化放電を発生する全セル初期化動作の後の書込み期間においてこの書込み動作ができなくなる動作不良が発生して画像表示品質を低下させる現象が発生しやすいことを実験的に確認した。加えて、維持期間の最後に走査電極に緩やかに上昇する傾斜波形電圧を印加した後、走査電極に緩やかに下降する傾斜波形電圧を印加する選択初期化動作の後の書込み期間においてはこの現象が発生しにくいことも実験的に確認した。
【００４５】
さらに、パネルの高精細度化が進むにつれて、この現象が発生しやすくなることも確認した。これは、高精細度パネルでは放電セルが小さく、壁電圧を決定している壁電荷の量も少ないので、壁電荷量が僅かに減少しても壁電圧が大きく低下するためと考えることができる。
【００４６】
しかしながら本実施の形態におけるコーディングによれば、全セル初期化動作を行う第１ＳＦの書込み期間で書込み動作を行わなかった場合には、続く第２ＳＦ〜第１０ＳＦのどの書込み期間でも書込み動作を行わない。したがって、第１ＳＦの書込み期間において書込み動作を行わなかった放電セルの壁電圧が減少したとしても、続く第２ＳＦ〜第１０ＳＦのどの書込み期間で書込み動作を行うことはないため、表示画像に影響を与えることがない。
【００４７】
なお、図５に示したコーディングによれば、例えば、階調「２」、階調「５」、・・・等のいくつかの階調が表示できない。しかし、例えば各サブフィールドの輝度重みを変更する、または輝度重み「１」を持つサブフィールドを追加する等により、これらの階調を表示することができる。
【００４８】
図６は、本発明の他の実施の形態におけるコーディングを示す図であり、各サブフィールドの輝度重みを変更した例を示す。図７は本発明のさらに他の実施の形態におけるコーディングを示す図であり、輝度重み「１」を持つサブフィールドを追加した例を示す。
【００４９】
このように本発明は、サブフィールド数や各サブフィールドの輝度重みが上記の値に限定されるものではなく、表示する画像等にもとづいて最適に設定することができる。
【００５０】
また、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００５１】
本発明のパネルの駆動方法およびプラズマディスプレイ装置は、高精細度パネルであっても動作不良を発生することなく、品質の高い画像表示が可能なプラズマディスプレイ装置を実現するために有用である。
【図面の簡単な説明】
【００５２】
【図１】本発明の実施の形態に用いるパネルの構造を示す分解斜視図
【図２】本発明の実施の形態に用いるパネルの電極配列図
【図３】本発明の実施の形態におけるプラズマディスプレイ装置の回路ブロック図
【図４】本発明の実施の形態におけるパネルの各電極に印加する駆動電圧波形図
【図５】本発明の実施の形態におけるコーディングを示す図
【図６】本発明の他の実施の形態におけるコーディングを示す図
【図７】本発明のさらに他の実施の形態におけるコーディングを示す図
【符号の説明】
【００５３】
１０    パネル
２２    走査電極
２３    維持電極
２４    表示電極対
３２    データ電極
５１    画像信号処理回路
５２    データ電極駆動回路
５３    走査電極駆動回路
５４    維持電極駆動回路
５５    タイミング発生回路
１００    プラズマディスプレイ装置
【手続補正３】
【補正対象書類名】図面
【補正対象項目名】全図
【補正方法】変更
【補正の内容】
【図１】
2008087805.tif 000010
【図２】
2008087805.tif 000011
【図３】
2008087805.tif 000012
【図４】
2008087805.tif 000013
【図５】
2008087805.tif 000014
【図６】
2008087805.tif 000015
【図７】
2008087805.tif 000016
【国際調査報告】
2008087805.tif 000017
2008087805.tif 000018
2008087805.tif 000019